(57)【要約】【課題】金属マグネットを使ったアナログカートリッジの音質を向上させる。【解決する手段】金属マグネットから出ている磁力線の束の中心部はのこして外周部分だけを遮って磁力線の拡散をおさえ、磁力線を絞ったマグネットをアナログカートリッジに使用する【選択図】  図１
2005168034.tif 000002
【特許請求の範囲】
【請求項１】
板状の磁気シールド効果がある部材を長方形状にした物を、直方体もしくは柱状の金属マグネットの、磁力線の束を出している面の全外周もしくは外周の一部にそって、磁力線の束の出ている端部からはみだして前記金属マグネットに接していない部分をのこしながら巻着させて、金属マグネットの磁力線の束の出ている端部からはみ出した前記磁気シールド効果がある部材によって前記金属マグネットから出ている磁力線の束の外周部分を遮り、結果、磁力線の拡散を抑えることにより磁力線を絞ったことを特徴とするマグネット。
【請求項２】
請求項１の磁力線の拡散を抑えたマグネットに施した前記磁気シールドから、高透磁率部材できた金属線もしくは高透磁率部材でできた長方形状の板材を、前記磁気シールドを施した面の極とは、反対の極の磁力線があたるところまで伸ばして、反対の極の磁力線を前記磁気シールド内に取り入れ、結果、違う極の磁力線が引き合う特性により、請求項１の磁力線の拡散を抑え磁力線を絞ったマグネットの、磁気シールド効果をより高めた磁力線を絞ったマグネット。
【請求項３】
請求項１の磁力線を絞ったマグネットと、ＭＭ型アナログカートリッジとの組み合わせ。
【請求項４】
金属マグネット（１）から出ている磁力線の束の全外周、もしくは外周の一部を遮れる様に、金属マグネット（１）の磁力線の束を出している端部に、磁気シールド効果のある部材もしくは高透磁率材でできた磁気シールド板（２）を装着し、金属マグネット（１）から出ている磁力線の拡散を抑えることにより、磁力線を絞ったマグネット。
【請求項５】
ケースと、前記ケースの中に固定された発電コイルと、前記発電コイル両端からのびたポールピース２本と、  前記２本のポールピースの間にダンパーを介して設置されたスタイラスのついた柱状もしくは直方体の振動子マグネットと、からなるＭＭ型アナログカートリッジにおいて
板状の磁気シールド効果がある部材を長方形状にした物を、前記振動子マグネットの磁力線の束の出ている端部からはみ出させて前記振動子マグネットに接していない部分をのこしながら、前記振動子マグネットの磁力線の束の出ている面の全外周もしくは外周の一部にそって巻着し、前記振動子マグネットの磁力線の束の出ている端部からはみ出した前記磁気シールド効果がある部材によって磁力線の拡散を抑え、結果、前記ポールピースに磁力線がシャープにあたるようにしたことを特徴とするアナログカートリッジ。
【請求項６】
ケース（４）と、前記ケースの中に固定された発電コイル（５）と、前記発電コイル両端からのびたポールピース（６）２本と、前記２本のポールピースの間にダンパー（７）を介して設置されたスタイラス（１０）についた振動子マグネット（８）と、からなるＭＭ型アナログカートリッジにおいて、
前記振動子マグネット（８）から出ている磁力線の束の中心部は残して外周部分だけを遮ることができる様、磁気シールド効果がある部材でできた磁気シールド板（９）を前記振動子マグネット（８）磁力線のでている端部からはみ出る様して前記振動子マグネット（８）に装着し、振動子マグネット端部からはみ出した部分によって磁力線の拡散を抑え、結果、前記ポールピース（６）に、磁力線がシャープにあたるようにしたことを特徴とするアナログカートリッジ
【請求項７】
マグネットや磁気コイルから磁力線を供給されていて、磁力線を放出している柱状もしくは直方体のヨークに、板状の磁気シールド効果がある部材を長方形状にした物を、磁力線の束の出ている前記ヨークの端部からはみ出させて前記ヨークに接していない部分をのこしながら、磁力線の束を出している前記ヨークの面の全外周もしくは外周の一部にそって巻着させて、結果、磁力線の拡散を抑えたことを特徴とするヨーク
【発明の詳細な説明】
【技術分野】
【０００１】オーディオ装置、アナログカートリッジためのマグネット
【背景技術】
【０００２】  従来、ＭＭ型アナログカートリッジではスタイラスについたマグネットが小型で、Ｓ極とＮ極が近いためもあり、Ｓ極とＮ極の磁力線が引きあいくっつく部分ができて、ポールピースに磁力線がシャープに当たらなかった。      また、Ｓ極とＮ極の磁力線が出合うようにする設計のＭＣ型アナログカートリッジでは、磁力線を通すヨークでループをマグネットの周りに作っていたものが多い。さらには、ヨークによるループを使わない設計のものでは、磁力線が拡散していた。
【発明の開示】
【発明が解決しようとする課題】
【０００３】ＭＭ型アナログカートリッジにおいては音声を作る発電コイルからでているポールピースに振動子マグネットの磁力線がシャープに当たるようにする。    そのほかの型のマグネットを使ったアナログカートリッジにおいては、プレイヤーのアームなどが振動した時、アナログカートリッジの中の音声信号を伝える、金属線やケーブル、ポールピース、にマグネットの磁力線が当たっているため、音声信号とは関係のない電気が発生して、結果、音を悪くしてしまう、ということをおこりにくくする。
【課題を解決する手段】
【０００４】ＭＭ型アナログカートリッジにおいては、使われている振動子マグネットの、磁力線の拡散を抑えるよう加工することにより磁力線を絞り、磁力線がシャープにポールピースに当たるようにする。    磁気シールドに使うことができる部材を、磁束の束の根元のマグネットの磁力線のでる所のまわりを囲むようにマグネットに装着し、結果、磁力線の束の中心部はそのままに磁力線の束の外側の部分の、比較的弱い磁力線や、比較的曲がりが強い磁力線を遮ってマグネットの磁力線の拡散を抑える。
【０００５】そのほかの型のマグネットを使ったアナログカートリッジにおいては、磁気シールドで磁力線の拡散を抑えるよう加工したマグネットを、磁力線が音声情報を伝えるケーブルや金属線に当たらないような角度と位置にマグネットをケース内に設置する。  そしてヨークを介して磁力線を供給しているものは、ヨークの先端を磁気シールドで磁力線の拡散を抑えるよう加工した後、アナログカートリッジ内で位置と角度を調整する。
【発明を実施するための最良の形態】
【０００６】イ．金属マグネット（１）に、防磁効果のある磁気シールド板（２）をマグネットからでている磁力線の束の外周部を遮るようにマグネットに装着することにより磁力線を絞る  図１
ロ．磁気シールド効果がある部材でできた磁気シールド板（９）により磁力線の拡散を抑えて磁力線を絞ったマグネットを、振動子マグネットとして図２のＭＭ型アナログカートリッジに装着する
【発明の効果】
【０００７】ＭＭ型アナログカートリッジにおいては音声情報を発生させる振動子マグネットからでる磁力線がシャープにポールピースに当たるので、否がすくなくなり音質が向上する。  そのほかのアナログカートリッジにおいては、音声情報を伝える金属線やケーブルに磁力線が当たりにくくできるので音声信号とは関係のない電気が発生しにくくなる。    さらにＭＣ型アナログカートリッジでは、今までとは違った設計をすることができる。
【図面の簡単な説明】
【０００８】
【図１】  磁力線の拡散を抑えてを磁力線を絞った金属マグネット
【図２】  振動子マグネットの磁力線の拡散を抑えてポールピース（６）に磁力線がシャープにあたるようにしたＭＭ型アナログカートリッジ
【符号の説明】
【０００９】１    金属マグネット
２    高透磁率材、またはヨークにできる金属でできた磁気シールド板
３    スペーサー
４    ケース
５    発電コイル
６    ポールピース
７    ダンパー
８    振動子マグネット
９    磁気シールド板
１０  スタイラス
【図１】
2005168034.tif 000003
【図２】
2005168034.tif 000004